(57)【特許請求の範囲】
【請求項１】
洗面台または前記洗面台近傍の壁部に取り付けられる自動水栓装置であって、
吐水口を有する水栓と、
前記水栓に設けられた検出部取り付け用凹部と、
人体の一部を検出するセンサと、前記センサが支持され前記検出部取り付け用凹部に着脱可能に設けられたケースとを備える検出部と、
前記センサから出力される検出信号に基づいて前記吐水口からの吐水と止水を切り換える制御部とを備え、
前記検出部は、非接触で前記人体の一部を検出する非接触センサが前記ケースに支持された第１検出部と、前記人体の一部が接触されることで前記人体の一部を検出する接触センサが前記ケースに支持された第２検出部と、前記非接触センサおよび前記接触センサの双方が前記ケースに支持された第３検出部との何れか１つであり、
前記第１検出部、前記第２検出部、前記第３検出部の前記ケースは、前記検出部取り付け用凹部に対して選択的に着脱可能に構成されている、
ことを特徴とする自動水栓装置。
【請求項２】
前記水栓は、
前記洗面台または前記壁部に取り付けられる基部と、
前記基部から前記手洗い用ボウルの上方に延在する延在部と、
前記延在部の先部に設けられ前記吐水口を有する吐水部とを備え、
前記検出部取り付け用凹部は、前記吐水部の上面に設けられている、
ことを特徴とする請求項１記載の自動水栓装置。
【請求項３】
前記水栓は、
前記洗面台または前記壁部に取り付けられる基板部と、
前記基板部から前記手洗い用ボウルの上方に延在する延在部と、
前記延在部の先部に設けられ前記吐水口を有する吐水部とを備え、
前記検出部取り付け用凹部は、前記基板部に前記延在部と並べられて設けられている、
ことを特徴とする請求項１記載の自動水栓装置。
【発明の詳細な説明】
【技術分野】
【０００１】
本発明は、航空機用化粧室ユニットなどに好適な自動水栓装置に関する。
【背景技術】
【０００２】
人体の一部（手指）を検出して吐水、止水を行なう自動水栓装置が提供されている。
このような自動水栓装置として、手指の検出を非接触で行なう赤外線センサなどの非接触センサを用いるものと、手指の検出を手指が接触することで行なうタッチスイッチなどの接触センサを用いるものとの２種類が知られている。
一般的に非接触センサは構造が複雑であることから部品コストや保守コストが高価なものとなっている。また、接触センサは構造が単純であることから部品コストや保守コストが安価なものとなっている
【先行技術文献】
【特許文献】
【０００３】
【特許文献１】特開２０１４−１５６６９６号公報
【発明の概要】
【発明が解決しようとする課題】
【０００４】
しかしながら、このような自動水栓装置を例えば航空機用化粧室ユニットに適用した場合、顧客が化粧室の衛生上の観点を重視して非接触センサを用いる自動水栓装置を要求する場合と、コストを重視して接触センサを用いる自動水栓装置を要求する場合とがある。
したがって、従来は、非接触センサを用いる自動水栓装置と、接触センサを用いる自動水栓装置との２種類の自動水栓装置を製造する必要があり、顧客の要求する仕様に対応した自動水栓装置を安価でかつ短期間で提供する上で改善の余地がある。
本発明は前記事情に鑑み案出されたものであって、本発明の目的は、顧客の要求する仕様に対応した自動水栓装置を安価にかつ短期間で提供する上で有利な自動水栓装置を提供することにある。
【課題を解決するための手段】
【０００５】
上記目的を達成するために本発明の一実施の形態は、洗面台または前記洗面台近傍の壁部に取り付けられる自動水栓装置であって、吐水口を有する水栓と、前記水栓に設けられた検出部取り付け用凹部と、人体の一部を検出するセンサと、前記センサが支持され前記検出部取り付け用凹部に着脱可能に設けられたケースとを備える検出部と、前記センサから出力される検出信号に基づいて前記吐水口からの吐水と止水を切り換える制御部とを備え、前記検出部は、非接触で前記人体の一部を検出する非接触センサが前記ケースに支持された第１検出部と、前記人体の一部が接触されることで前記人体の一部を検出する接触センサが前記ケースに支持された第２検出部と、前記非接触センサおよび前記接触センサの双方が前記ケースに支持された第３検出部との何れか１つであり、前記第１検出部、前記第２検出部、前記第３検出部の前記ケースは、前記検出部取り付け用凹部に対して選択的に着脱可能に構成されていることを特徴とする。
また、本発明の一実施の形態は、前記水栓は、前記洗面台または前記壁部に取り付けられる基部と、前記基部から前記手洗い用ボウルの上方に延在する延在部と、前記延在部の先部に設けられ前記吐水口を有する吐水部とを備え、前記検出部取り付け用凹部は、前記吐水部の上面に設けられていることを特徴とする。
また、本発明の一実施の形態は、前記水栓は、前記洗面台または前記壁部に取り付けられる基板部と、前記基板部から前記手洗い用ボウルの上方に延在する延在部と、前記延在部の先部に設けられ前記吐水口を有する吐水部とを備え、前記検出部取り付け用凹部は、前記基板部に前記延在部と並べられて設けられていることを特徴とする。
【発明の効果】
【０００６】
本発明の一実施の形態によれば、検出部として第１検出部、第２検出部の何れかを選択して検出部用取り付け部に取り付けることができる。したがって、第１検出部を選択すれば非接触センサを用いた自動水栓装置が得られ、第２検出部を選択すれば接触センサを用いた自動水栓装置が得られる。
そのため、顧客の要求に応じた仕様の自動水栓装置を、検出部を交換するだけで安価にかつ簡単に得る上で有利となる。
また、本発明の一実施の形態によれば、検出部として第１検出部、第２検出部、第３検出部の何れかを選択して検出部用取り付け部に取り付けることができる。したがって、第１検出部を選択すれば非接触センサを用いた自動水栓装置が得られ、第２検出部を選択すれば接触センサを用いた自動水栓装置が得られ、第３検出部を選択すれば接触センサおよび非接触センサの双方を用いた自動水栓装置が得られる。
そのため、顧客の要求に応じた仕様の自動水栓装置を、検出部を交換するだけで安価にかつ簡単に得る上でより有利となる。
また、本発明の一実施の形態によれば、検出部用取り付け部は、吐水部の上面に設けられているので、検出部用取り付け部に取り付けられた検出部の位置がひと目で判別でき、手指を検出部に接近させ、あるいは、手指を検出部にタッチするといった操作を簡単に行なうことができ、自動水栓装置の操作性の向上を図る上で有利となる。
また、本発明の一実施の形態によれば、検出部用取り付け部は、基板部に延在部と並べられて設けられているので、検出部用取り付け部に取り付けられた検出部の位置がひと目で判別でき、手指を検出部に接近させ、あるいは、手指を検出部にタッチするといった操作を簡単に行なうことができ、自動水栓装置の操作性の向上を図る上で有利となる。
また、本発明の一実施の形態によれば、検出部用取り付け部は、基板部に延在部と並べられて設けられているので、検出部用取り付け部に取り付けられた第２検出部あるいは第３検出部に対して大きな力で繰り返し押圧操作を行っても基板部から洗面台に力が伝達され、水栓に過大な力が繰り返し加わることが回避されるため、水栓の耐久性の向上を図る上で有利となる。
【図面の簡単な説明】
【０００７】
【図１】第1の実施の形態に係る自動水栓装置が適用される航空機用化粧室ユニットの斜視図である。
【図２】（Ａ）は第１検出部が取り付けられた自動水栓装置の側面図、（Ｂ）は（Ａ）のＢ矢視図、（Ｃ）は（Ｂ）のＣ矢視図である。
【図３】（Ａ）は第２検出部が取り付けられた自動水栓装置の側面図、（Ｂ）は（Ａ）のＢ矢視図、（Ｃ）は（Ｂ）のＣ矢視図である。
【図４】（Ａ）は第３検出部が取り付けられた自動水栓装置の側面図、（Ｂ）は（Ａ）のＢ矢視図、（Ｃ）は（Ｂ）のＣ矢視図である。
【図５】第１検出部が取り付けられた自動水栓装置の制御系の構成を示すブロック図である。
【図６】第２検出部が取り付けられた自動水栓装置の制御系の構成を示すブロック図である。
【図７】第３検出部が取り付けられた自動水栓装置の制御系の構成を示すブロック図である。
【図８】第２の実施の形態の自動水栓装置の斜視図であり、第１検出部が取り付けられた状態を示す。
【図９】（Ａ）は第１検出部が取り付けられた自動水栓装置の側面図、（Ｂ）は（Ａ）のＢ矢視図、（Ｃ）は（Ｂ）のＣ矢視図である。けられた状態を示す。
【図１０】第２の実施の形態の自動水栓装置の斜視図であり、第２検出部が取り付けられた状態を示す。
【図１１】（Ａ）は第２検出部が取り付けられた自動水栓装置の側面図、（Ｂ）は（Ａ）のＢ矢視図、（Ｃ）は（Ｂ）のＣ矢視図である。けられた状態を示す。
【図１２】第２の実施の形態の自動水栓装置の斜視図であり、第３検出部が取り付けられた状態を示す。
【図１３】（Ａ）は第３検出部が取り付けられた自動水栓装置の側面図、（Ｂ）は（Ａ）のＢ矢視図、（Ｃ）は（Ｂ）のＣ矢視図である。
【発明を実施するための形態】
【０００８】
（第１の実施の形態）
次に図面を参照して本実施の形態について説明する。
まず、本実施の形態に係る自動水栓装置が適用される航空機用化粧室ユニットについて説明する。
図１に示すように、航空機用化粧室ユニット１０は、底壁１２０２と、底壁１２０２から起立する複数の壁板と、天井１２１０とを有しその内部が化粧室１４とされる躯体フレーム１２を備えている。
本実施の形態では、複数の壁板のうちの１つは正面壁１２０４であり、１つは正面壁１２０４に対向する背面壁１２０６であり、残りの二つは、背面壁１２０６の両側と正面壁１２０４の両側を接続する一対の側面壁１２０８であり、正面壁１２０４に扉により開閉される出入口１２１２が設けられ、背面壁１２０６の前方に内壁１２１４が設けられ、便器１６は内壁１２１４を介して底壁１２０２上に設けられている。
なお、図１では一対の側面壁１２０８のうちの一方の側面壁１２０８と、出入口を開閉する扉が省略されている。
一対の側面壁１２０８のうちの他方の側面壁１２０８の高さ方向の中間にカウンターテーブル１８が設けられ、カウンターテーブル１８の下方は、消火機能付きのごみ箱装置２０や化粧室１４の備品などが収納される下部収納部２２となっており、下部収納部２２は複数の扉２２０２、２２０４により開閉可能であり、図１において、符号２２０６はごみ投入口を示している。
カウンターテーブル１８の上方は、ティッシュペーパーなどの化粧室１４の備品が収納される上部収納部２４となっており、上部収納部２４は鏡付きの複数の扉２４０２、２４０４により開閉される。
【０００９】
カウンターテーブル１８の正面壁１２０４寄りの箇所に手洗い器２６が設けられている。
手洗い器２６は、手洗い用ボウル２８と、手洗い用ボウル２８の周囲のカウンターテーブル１８の箇所で構成された洗面台３０と、洗面台３０に設けられ手洗い用ボウル２８への水の吐出を可能とする自動水栓装置３２Ａとを含んで構成されている。
【００１０】
自動水栓装置３２Ａは人体の一部（手指）を検出して吐水、止水を行なうものである。
図２、図５に示すように、自動水栓装置３２Ａは、水栓３４と、検出部用取り付け部３６と、検出部３８と、制御部４０とを含んで構成されている。
水栓３４は、給水源４２から給水路４４を介して供給される水を吐水するものである。
水栓３４は、金属や合成樹脂など従来公知の様々な材料で構成されている。
図２に示すように、水栓３４は、洗面台３０の上面または洗面台３０近傍の壁部（本実施の形態では例えばカウンターテーブル１８と上部収納部２４との間を接続する壁部２４２０）に取り付けられる基部４６と、基部４６から手洗い用ボウル２８の上方に延在する延在部４８と、延在部４８のほぼ水平方向に延在する先部に設けられ手洗い用ボウル２８内に向けられた吐水口５１を有する吐水部５０とを備えている。
吐水部５０は、上方を向いた上面５００２と、下方を向いたすなわち手洗い用ボウル２８内に向いた下面５００４と、吐水部５０の前方を向いた前面５００６と、上面５００２、下面５００４、前面５００６を接続する左右一対の側面５００８とを備え、下面５００４に吐水口５１が設けられている。
【００１１】
図２（Ａ）、（Ｂ）、（Ｃ）に示すように、検出部用取り付け部３６は、後述する検出部３８が着脱可能に取り付けられる箇所である。
本実施の形態では、検出部用取り付け部３６は、吐水部５０の上面５００２に設けられており、上面５００２から前面５００６にわたって切り欠かれ上方と前方が開放された平面視矩形状の凹部３７で構成されている。
凹部３７は、上方を向いた底面３７０２と、底面３７０２の後端から起立する後面３７０４と、底面３７０２の両側から起立する一対の内側面３７０６とを有している。
凹部３７内に露出するように取り付け部側コネクタ５２（図５参照）が設けられている。
この取り付け部側コネクタ５２（図５参照）は、後述する検出部３８の非接触センサ５８や接触センサ６０の検出信号を伝達するためのものである。
また、凹部３７に検出部３８のケース５４がはめ込まれると共に、吐水部５０の一方の側面５００８を貫通したねじＮがケース５４の雌ねじに締結されることで検出部３８が凹部３７に着脱可能に取り付けられている。
なお、検出部用取り付け部３６に対する検出部３８の取り付けは、ねじ締結以外の係合爪と係合凹部との係合などの従来公知の様々な固定構造が採用可能である。
したがって、凹部３７から検出部３８を取り外して別の検出部３８に交換することが容易になされるように図られている。
【００１２】
検出部３８は、人体の一部を検出するものである。
本実施の形態では、検出部３８は、第１検出部３８Ａ、第２検出部３８Ｂ、第３検出部３８Ｃの何れかであり、それらは選択的に使用される。
各検出部３８のケース５４は、金属や合成樹脂など従来公知の様々な材料で構成されている。
ケース５４は、図２（Ａ）、（Ｂ）、（Ｃ）に示すように、扁平な矩形板状を呈し、凹部３７に取り付けられた状態で上方を向く上面５４０２と、下方を向く下面５４０４と、前方を向く前面５４０６と、後方を向く後面５４０８と、それら上面５４０２、下面５４０４、前面５４０６、後面５４０８を接続する一対の側面５４１０とを備えている。
ケース５４は、その下面５４０４、後面５４０８、一対の側面５４１０を、凹部３７の底面３７０２、後面３７０４、一対の内側面３７０６に当て付けた状態で凹部３７に取り付けられる。
本実施の形態では、凹部３７に各検出部３８が選択的に取り付けられた状態で、吐水部５０の上面５００２とケース５４の上面５４０２とが同一面上で接続され、吐水部５０の前面５００６とケース５４の前面５４０６とが同一面上で接続され一体感が得られるように図られている。
なお、ケース５４には、図５に示すように、ケース５４を凹部３７に取り付けることで取り付け部側コネクタ５２に接続される検出部側コネクタ５６が設けられている。
【００１３】
第１検出部３８Ａは、図２（Ａ）、（Ｂ）、（Ｃ）、図５に示すように、非接触で人体の一部を検出する非接触センサ５８を有している。
このような非接触センサ５８として、赤外線からなる検出光を照射しその反射光に基づいて人体の一部を検出する赤外線センサ、人体の一部の接近による静電容量の変化により人体の一部を非接触で検出する静電容量式非接触センサ５８など従来公知のセンサが使用可能である。
本実施の形態では、非接触センサ５８は赤外線センサであり、非接触センサ５８は第１検出部３８Ａのケース５４の前面５４０６で支持されている。
第１検出部３８Ａが、凹部３７に取り付けられた状態で、検出光が吐水部５０の前方に照射され、手洗いボウルに挿入された利用者の手指を確実に照射されるように図られている。
【００１４】
第２検出部３８Ｂは、図３（Ａ）、（Ｂ）、（Ｃ）、図５に示すように、人体の一部が接触されることで人体の一部を検出する接触センサ６０を有している。
このような接触センサ６０として、手指の接触を検出するタッチスイッチ、手指の接触による静電容量の変化により人体の一部を検出する静電容量式タッチセンサなど従来公知のセンサが使用可能である。
本実施の形態では、接触センサ６０はタッチスイッチであり、接触センサ６０は第２検出部３８Ｂのケース５４の上面５４０２で支持されている。
第２検出部３８Ｂが、凹部３７に取り付けられた状態で、接触センサ６０は吐水部５０の上面５００２から上方に突出しており、利用者の手指による接触センサ６０への接触が容易になされるように図られている。
【００１５】
第３検出部３８Ｃは、図４（Ａ）、（Ｂ）、（Ｃ）、図５に示すように、非接触センサ５８と接触センサ６０との双方を有するものであり、第１検出部３８Ａと第２検出部３８Ｂを兼用している。
本実施の形態では、非接触センサ５８は赤外線センサであり、非接触センサ５８は第３検出部３８Ｃのケース５４の前面５４０６に設けられ、接触センサ６０はタッチスイッチであり、接触センサ６０は第３検出部３８Ｃのケース５４の上面５４０２で支持されている。
第３検出部３８Ｃが、凹部３７に取り付けられた状態で、検出光が吐水部５０の前方に照射され、手洗いボウルに挿入された利用者の手指を確実に照射されるように図られている。
また、第３検出部３８Ｃが、凹部３７に取り付けられた状態で、接触センサ６０は吐水部５０の上面５００２から上方に突出しており、利用者の手指による接触センサ６０への接触が容易になされるように図られている。
このような第３検出部３８Ｃによれば、非接触センサ５８と接触センサ６０との双方が使用可能であることから使い勝手の向上を図る上で有利となる。
なお、非接触センサ５８と接触センサ６０とを比較すると、一般的に非接触センサ５８は構造が複雑で高価であるが耐久性に劣り、接触センサ６０は構造が単純で安価であるが故障しにくいことから、部品コストと保守コストの双方を考慮したコストは、第２検出部３８Ｂ、第１検出部３８Ａ、第３検出部３８Ｃの順番で高くなる。
【００１６】
制御部４０は、水栓３４に設けてもよいが、本実施の形態では、水栓３４近傍のカウンターテーブル１８の下方の箇所に設けられ、制御部４０は、取り付け部側コネクタ５２と不図示のケーブルを介して接続されている。
制御部４０は、検出部３８から出力され検出部側コネクタ５６、取り付け部側コネクタ５２、ケーブルを介して供給される検出信号に基づいて吐水口５１からの吐水と止水を切り換えるものである。
図５に示すように、本実施の形態では、水栓３４に水を供給する給水路４４に電磁弁６２が設けられており、制御部４０は検出部３８により人体の一部が検出されたことを示す検出信号を受け付けると、電磁弁６２を予め定められた開弁時間、開弁することで吐水口５１から水を吐水させ、開弁時間が終了したならば電磁弁６２を閉弁する。
このように一定の開弁時間だけ開弁することで予め定められた量の水が水栓３４から吐水されるように図られている。
【００１７】
本実施の形態によれば、検出部３８として第１検出部３８Ａ、第２検出部３８Ｂ、第３検出部３８Ｃの何れかを選択して検出部用取り付け部３６に取り付けることができる。
したがって、第１検出部３８Ａを選択すれば非接触センサ５８を用いた自動水栓装置３２Ａが得られ、第２検出部３８Ｂを選択すれば接触センサ６０を用いた自動水栓装置３２Ａが得られ、第３検出部３８Ｃを選択すれば非接触センサ５８および接触センサ６０の双方を用いた自動水栓装置３２Ａが得られる。
そのため、顧客の要求に応じた仕様の自動水栓装置３２Ａを、検出部３８を交換するだけで安価にかつ簡単に得ることができる。
例えば、化粧室１４内の衛生上の観点から自動水栓装置３２Ａへの手指の接触を嫌う顧客に対しては、図２（Ａ）、（Ｂ）、（Ｃ）、図５に示すように、第１検出部３８Ａを取り付けた自動水栓装置３２Ａを提供することができる。
また、自動水栓装置３２Ａのコスト低減を重視する顧客に対しては図３（Ａ）、（Ｂ）、（Ｃ）、図６に示すように、第２検出部３８Ｂを取り付けた自動水栓装置３２Ａを提供することができる。
また、自動水栓装置３２Ａの使い勝手を重視する顧客に対しては、図４（Ａ）、（Ｂ）、（Ｃ）、図７に示すように、第３検出部３８Ｃを取り付けた自動水栓装置３２Ａを提供することができる。
そのため、自動水栓装置３２Ａを検出部３８の種類ごとに製造する必要がなく、顧客の要求する仕様に対応した自動水栓装置３２Ａを低コストでかつ短納期に提供する上で有利となる。
また、いったん設置した自動水栓装置３２Ａの仕様を変更する場合であっても、既設の検出部３８を仕様が異なる検出部３８に交換すれば足り、自動水栓装置３２Ａ全体を交換する必要がないため、交換に要するコストや期間を短縮する上で有利となる。
【００１８】
また、本実施の形態によれば、検出部用取り付け部３６は、吐水部５０の上面５００２に設けられているので、検出部用取り付け部３６に取り付けられた検出部３８の位置がひと目で判別でき、手指を検出部３８に接近させ、あるいは、手指を検出部３８にタッチするといった操作を簡単に行なうことができ、自動水栓装置３２Ａの操作性の向上を図る上で有利となる。
【００１９】
（第２の実施の形態）
次に第２の実施の形態について図８から図１３を参照して説明する。
なお、以下の実施の形態では、第１の実施の形態と同様の部分、部材については第１の実施の形態と同一の符号を付してその説明を省略する。
第２の実施の形態は、検出部用取り付け部７２が設けられている水栓３４の箇所が第１の実施の形態と異なっている。
【００２０】
図８、図９（Ａ）、（Ｂ）、（Ｃ）に示すように、水栓６４は、洗面台３０の上面または洗面台３０の近傍の壁部に取り付けられる基板部６６と、基板部６６から手洗い用ボウル２８の上方に延在する延在部６８と、延在部６８のほぼ水平方向に延在する先部に設けられ手洗い用ボウル２８内に向けられた吐水口７１を有する吐水部７０とを備えている。
なお、基板部６６を含む水栓６４は、第１の実施の形態と同様に、金属や合成樹脂など従来公知の様々な材料で構成されている。
本実施の形態では、基板部６６は、延在部６８の断面形状よりも大きな輪郭の扁平な長円状の板状を呈している。
基板部６６は、上方を向いた上面６６０２と、下方を向いた下面６６０４と、手洗い用ボウル２８側に向いた前面６６０６と、前面６６０６と反対の方向を向いた後面６６０８と、上面６６０２、下面６６０４、前面６６０６、下面６６０４を接続する一対の湾曲した側面６６１０とを備えている。
延在部６８は、基板部６６の長手方向の一方寄りの上面６６０２から起立している。
なお、基板部６６と延在部６８とは一体に設けてもよく、あるいは、基板部６６と延在部６８とを別体として設け、例えば基板部６６に設けた孔に延在部６８を挿入するようにしてもよい。
【００２１】
本実施の形態では、検出部用取り付け部７２は、基板部６６に延在部６８と並べられて設けられている。
具体的には、検出部用取り付け部７２は、基板部６６の長手方向の他方寄りの上面６６０２に設けられており、上面６６０２から前面６６０６にわたって切り欠かれ上方と前方が開放された平面視矩形状の凹部７３で構成されている。
凹部７３は、上方を向いた底面７３０２と、底面７３０２の後端から起立する後面７３０４と、底面７３０２の両側から起立する一対の内側面７３０６とを有している。
凹部７３内に露出するように、あるいは、凹部７３内に突出して取り付け部側コネクタ５２（図５参照）が設けられている。
また、凹部７３に検出部３８のケース７４がはめ込まれると共に、基板部６６の後面６６０８を貫通したねじＮがケース７４の雌ねじＮに締結されることで検出部３８が検出部用取り付け部７２に着脱可能に取り付けられている。
なお、凹部７３に対する検出部３８の取り付けは、従来公知の様々な固定構造が採用可能であることは第１の実施の形態と同様である。
したがって、第２の実施の形態でも、凹部７３から検出部３８を取り外して別の検出部３８に交換することが容易になされるように図られている。
【００２２】
第１の実施の形態でと同様に、検出部３８は、第１検出部３８Ａ、第２検出部３８Ｂ、第３検出部３８Ｃの何れかであり、それらは選択的に使用される。
ケース７４は、図９（Ａ）、（Ｂ）、（Ｃ）に示すように、扁平な矩形板状を呈し、検出部用取り付け部７２に取り付けられた状態で上方を向く上面７４０２と、下方を向く下面７４０４と、手洗い用ボウル２８側に向けられた前面７４０６と、前面と反対の方向に向いた後面７４０８と、それら上面７４０２、下面７４０４、前面７４０６、後面７４０８を接続する一対の側面７４１０とを備えている。
ケース７４は、その下面７４０４、後面７４０８、一対の側面７４１０を、凹部７３の底面７３０２、後面７３０４、一対の内側面７３０６に当て付けた状態で検出部用取り付け部７２に取り付けられる。
本実施の形態では、凹部７３に各検出部３８が選択的に取り付けられた状態で、基板部６６の上面６６０２とケース７４の上面７４０２とが同一面上で接続され、基板部６６の前面６６０６とケース７４の前面７４０６とが同一面上で接続され一体感が得られるように図られている。
ケース７４には、図５に示すように、ケース７４を凹部７３に取り付けることで取り付け部側コネクタ５２に接続される検出部側コネクタ５６が設けられている。
【００２３】
第１検出部３８Ａは、図８、図９（Ａ）、（Ｂ）、（Ｃ）に示すように、非接触で人体の一部を検出する非接触センサ５８を有し、本実施の形態では、非接触センサ５８は赤外線センサであり、非接触センサ５８は第１検出部３８Ａのケース７４の前面７４０６に設けられている。
第１検出部３８Ａが凹部７３に取り付けられた状態で、検出光が基板部６６の前方に照射され、手洗い用ボウル２８に挿入された利用者の手指を確実に照射されるように図られている。
【００２４】
第２検出部３８Ｂは、図１０、図１１（Ａ）、（Ｂ）、（Ｃ）に示すように、人体の一部が接触されることで人体の一部を検出する接触センサ６０を有し、本実施の形態では、接触センサ６０はタッチスイッチであり、接触センサ６０は第２検出部３８Ｂのケース７４の上面７４０２に設けられている。
第２検出部３８Ｂが凹部７３に取り付けられた状態で、接触センサ６０は基板部６６の上面６６０２から上方に突出しており、利用者の手指による接触センサ６０への接触が容易になされるように図られている。
【００２５】
第３検出部３８Ｃは、図１２、図１３（Ａ）、（Ｂ）、（Ｃ）に示すように、非接触センサ５８と接触センサ６０との双方を有するものであり、第１検出部３８Ａと第２検出部３８Ｂを兼用している。
本実施の形態では、非接触センサ５８は赤外線センサであり、非接触センサ５８は第３検出部３８Ｃのケース７４の前面７４０６に設けられ、接触センサ６０はタッチスイッチであり、接触センサ６０は第３検出部３８Ｃのケース７４の上面７４０２に設けられている。
第３検出部３８Ｃが凹部７３に取り付けられた状態で、検出光が基板部６６の前方に照射され、手洗いボウルに挿入された利用者の手指を確実に照射されるように図られている。
また、第３検出部３８Ｃが凹部７３に取り付けられた状態で、接触センサ６０は基板部６６の上面６６０２から上方に突出しており、利用者の手指による接触センサ６０への接触が容易になされるように図られている。
このような第３検出部３８Ｃによれば、非接触センサ５８と接触センサ６０との双方が使用可能であることから使い勝手の向上を図る上で有利となる。
【００２６】
制御部４０による検出部３８の検出信号に基づく吐水、止水の制御は第１の実施の形態と同様になされる。
【００２７】
このような第２の実施の形態によれば、第１の実施の形態と同様の効果が奏される。
また、第２の実施の形態によれば、検出部用取り付け部７２は、基板部６６に延在部６８と並べられて設けられているので、検出部用取り付け部７２に取り付けられた検出部３８の位置がひと目で判別でき、手指を検出部３８に接近させ、あるいは、手指を検出部３８にタッチするといった操作を簡単に行なうことができ、自動水栓装置３２Ｂの操作性の向上を図る上で有利となる。
また、検出部用取り付け部７２は、基板部６６の上面６６０２に設けられているので、検出部用取り付け部７２に取り付けられた第２検出部３８Ｂあるいは第３検出部３８Ｃに対して大きな力で繰り返し押圧操作を行っても基板部６６から洗面台３０に力が伝達され、水栓６４に過大な力が繰り返し加わることが回避されるため、水栓６４の耐久性の向上を図る上で有利となる。
【符号の説明】
【００２８】
１８  カウンターテーブル
２４２０  壁部
２６  手洗い器
２８  手洗い用ボウル
３０  洗面台
３２Ａ、３２Ｂ  自動水栓装置
３４  水栓
３６  検出部用取り付け部
３７  凹部
３８  検出部
３８Ａ  第１検出部
３８Ｂ  第２検出部
３８Ｃ  第３検出部
４０  制御部
４６  基部
４８  延在部
５１  吐水口
５０  吐水部
５００２  上面
５８  非接触センサ
６０  接触センサ
６２  電磁弁
６４  水栓
６６  基板部
６６０２  上面
６８  延在部
７０  吐水部
７１  吐水口
７２  検出部用取り付け部
７３  凹部
７４  ケース
Ｎ  ねじ
【要約】
【課題】顧客の要求する仕様に対応した自動水栓装置を安価にかつ短期間で提供する。
【解決手段】検出部３８として第１検出部３８Ａ、第２検出部３８Ｂ、第３検出部３８Ｃの何れかを選択して検出部用取り付け部３６に取り付けることができる。第１検出部３８Ａを選択すれば非接触センサ５８を用いた自動水栓装置３２Ａが得られ、第２検出部３８Ｂを選択すれば接触センサ６０を用いた自動水栓装置３２Ａが得られ、第３検出部３８Ｃを選択すれば非接触センサ５８および接触センサ６０の双方を用いた自動水栓装置３２Ａが得られる。
【選択図】図２【図１】
0006888710.tif 000002
【図２】
0006888710.tif 000003
【図３】
0006888710.tif 000004
【図４】
0006888710.tif 000005
【図５】
0006888710.tif 000006
【図６】
0006888710.tif 000007
【図７】
0006888710.tif 000008
【図８】
0006888710.tif 000009
【図９】
0006888710.tif 000010
【図１０】
0006888710.tif 000011
【図１１】
0006888710.tif 000012
【図１２】
0006888710.tif 000013
【図１３】
0006888710.tif 000014